(57)【特許請求の範囲】
【請求項１】
発光ダイオード（ＬＥＤ）を有するモジュラージャックであって、該モジュラージャックのハウジングには該ハウジングの前側から後側に直線的に連通した状態で設けた取付孔が形成されており、該取付孔には、その前側に発光ダイオード収容部が、この発光ダイオード収容部から後方に接続端子収容部が形成されており、前記発光ダイオードは、リード線を介して所定の回路基板に接続されるように構成されており、前記発光ダイオードと前記リード線は、前記リード線の前端部に装着された接続端子を介して間接的に接続されており、前記接続端子は、前記リード線を圧着により接続する圧着端子であり、前記発光ダイオードは前記ハウジングの前面側から前記発光ダイオード収納部に挿入されて該ハウジングに取付けられ、前記リード線の前端部に装着された接続端子は前記ハウジングの後面側から前記接続端子収容部に挿入されて該接続端子収容部内に遊着された状態で前記発光ダイオードに接続され、
前記ハウジングは、前記発光ダイオードの後方への動きを拘束するＬＥＤ当接部と、前記リード線の前端部に装着された接続端子の前方への動きを拘束する接続端子当接部を備えており、前記発光ダイオードが前記ハウジングに保持されたとき、前記発光ダイオードは、前記リード線の前端部に装着された接続端子と接続され、且つ、前記ＬＥＤ当接部に当接し、前記リード線の前端部に装着された接続端子は、前記接続端子当接部に当接するものであり、
前記ハウジングの外面にシールド板が設けられており、該シールド板には、前記発光ダイオードの表示部の前面より小さい視認窓が開口されていることを特徴とするモジュラージャック。
【請求項２】
前記圧着端子は、前記発光ダイオードの表示部の後端部に設けられた脚部をその上面及び下面から狭持し、前記リード線は前記圧着端子を介して前記発光ダイオードに電気的に接続される請求項１に記載のモジュラージャック。
【請求項３】
前記発光ダイオードを前記ハウジングの上壁に横向きで配列している請求項１又は２に記載のモジュラージャック。
【請求項４】
前記発光ダイオードを前記ハウジングの側壁に縦向きで上下に配列している請求項１又は２に記載のモジュラージャック。
【発明の詳細な説明】
【０００１】
【発明の属する技術分野】
本発明は、モジュラープラグが装着されるモジュラージャックに関し、特に、発光ダイオード（ＬＥＤ）を有するモジュラージャックに関する。
【０００２】
【従来の技術】
一般に、電話設備やＬＡＮ（ローカルエリアネットワーク）において使用されるコネクタとして、発光ダイオードを備えたモジュラージャックが公知であり、このようなモジュラージャックには、例えば、米国特許第５，７００，１５７号公報に記載されているものがある。
【０００３】
この米国特許第５，７００，１５７号公報に開示されたモジュラージャック１は、図４に示すように、前面側にモジュラープラグ（図示せず）の嵌合凹部２が形成されたハウジング３と、前記嵌合凹部２内に配列された所要数の端子４と、前記ハウジング３の周壁に形成された取付孔５と、該取付孔５に装着可能な発光ダイオード（ＬＥＤ）６と、前記取付孔５の奥側に埋め込まれたＬＥＤ接続端子７とを備えている。
【０００４】
前記発光ダイオード６は、扁平な直方体状の表示部８と、該表示部８の後端部から水平に延出する一対の棒板状脚部９とを備え、前端部１０が前記ハウジング３から突出するように横向きに設けられている。前記ＬＥＤ接続端子７には前記脚部９を挟持可能なクランプ部１１が形成され、該クランプ部１１は前記脚部９の側面１２と接触するようになっている。また、前記ＬＥＤ接続端子７には、前記クランプ部１１の後端部から下方に折曲形成された一対の端子片１４が設けられ、該端子片１４の下端部１５は前記ハウジング３から突出し、回路基板（図示せず）に接続可能となっている。
【０００５】
このような構成において、前記発光ダイオード６を取付けるには、前記ハウジング３の前面側から前記発光ダイオード６を前記取付孔５に押込み、前記脚部９を前記クランプ部１１に挟持させ、また、前記発光ダイオード６を取外すには、前記表示部８の前端部１０をプライヤー等の工具で挟持し、引き抜いていた。
【０００６】
【発明が解決しようとする課題】
ところが、上記した従来のモジュラージャックでは、前記発光ダイオード６が、前記ハウジング３に埋め込まれた前記ＬＥＤ接続端子７を介して、前記回路基板に接続されるようになっているので、前記ＬＥＤ接続端子７により前記モジュラージャック１の配置がＬＥＤ接続端子７を実装可能な位置に拘束される、または、回路基板を、モジュラージャックの配置する位置にまで延出しなければならない、という問題があった。また、前記ＬＥＤ接続端子７が前記ハウジングに固定されているので、前記モジュラージャックの回路基板への取付作業が難しく、作業性が悪いといった問題もあった。さらに、前記ＬＥＤ接続端子７の構造は複雑であり、製造に手間が掛かり、製造コストの低減化が困難であった。さらにまた、発光ダイオード６の配置の向きを縦向きに変えるには、前記ＬＥＤ接続端子７を大幅に設計変更する必要があり、非常に手間が掛かり、その結果、ＬＥＤの配置の自由度が低下していた。
【０００７】
また、前記脚部９の側面１２には、その製造上の理由から、突出部（タイパー部）が形成され、前記脚部９と前記クランプ部１１との接触はそのタイパー部を介して行われるおそれがあるため、両者間の接続状態の安定化が図れず、電気特性の信頼性が低下するといった問題があった。
【０００８】
本発明は、上記課題を解決すべくなされたものであり、モジュラージャック及びＬＥＤの配置の自由度の向上、製造コストの低減化、及び信頼性の向上を図ることのできるモジュラージャックを提供するものである。
【０００９】
【課題を解決するための手段】
本発明は、発光ダイオード（ＬＥＤ）を有するモジュラージャックであって、該モジュラージャックのハウジングには該ハウジングの前側から後側に直線的に連通した状態で設けた取付孔が形成されており、該取付孔には、その前側に発光ダイオード収容部が、この発光ダイオード収容部から後方に接続端子収容部が形成されており、前記発光ダイオードは、リード線を介して所定の回路基板に接続されるように構成されており、前記発光ダイオードと前記リード線は、前記リード線の前端部に装着された接続端子を介して間接的に接続されており、前記接続端子は、前記リード線を圧着により接続する圧着端子であり、前記発光ダイオードは前記ハウジングの前面側から前記発光ダイオード収納部に挿入されて該ハウジングに取付けられ、前記リード線の前端部に装着された接続端子は前記ハウジングの後面側から前記接続端子収容部に挿入されて該接続端子収容部内に遊着された状態で前記発光ダイオードに接続され、前記ハウジングは、前記発光ダイオードの後方への動きを拘束するＬＥＤ当接部と、前記リード線の前端部に装着された接続端子の前方への動きを拘束する接続端子当接部を備えており、前記発光ダイオードが前記ハウジングに保持されたとき、前記発光ダイオードは、前記リード線の前端部に装着された接続端子と接続され、且つ、前記ＬＥＤ当接部に当接し、前記リード線の前端部に装着された接続端子は、前記接続端子当接部に当接するものであり、前記ハウジングの外面にシールド板が設けられており、該シールド板には、前記発光ダイオードの表示部の前面より小さい視認窓が開口されていることを特徴としている。
【００１１】
また、上記モジュラージャックにおいて、前記圧着端子は、前記発光ダイオードの表示部の後端部に設けられた脚部をその上面及び下面から狭持し、前記リード線は前記圧着端子を介して前記発光ダイオードに電気的に接続されてもよい。
更に、上記モジュラージャックにおいて、前記発光ダイオードを前記ハウジングの上壁に横向きで配列してもよいし、前記発光ダイオードを前記ハウジングの側壁に縦向きで上下に配列してもよい。
【００１２】
このような構成により、モジュラージャック及びＬＥＤの配置の自由度の向上、製造コストの低減化、及び電気的特性の信頼性の向上を図ることができる。
【００１３】
【発明の実施の形態】
以下、図面を参照しつつ、本発明の実施の形態を説明する。
【００１４】
図１及び図２は、本発明の実施の形態に係るモジュラージャック２１を示しており、該モジュラージャック２１は、絶縁体製のハウジング２２と、該ハウジング２２内に設けられた端子２３と、前記ハウジング２２の前面側から視認可能に設けられた一対の発光ダイオード（ＬＥＤ）２４，２５と、前記ハウジング２２の外面に設けられたシールド板２６とから概略構成されている。
【００１５】
前記ハウジング２２には前面側から所要数（図示では２個）の凹部２７，２８が形成されており、一方の凹部２７にはＬＡＮ用のモジュラープラグ（図示せず）が嵌合可能であり、他方の凹部２８にはモデム用のモジュラープラグ（図示せず）が嵌合可能となっている。そして、前記凹部２７に隣接する前記ハウジング２２の側壁２９、及び前記凹部２７と２８間の仕切壁３０の各上部には、それぞれ取付孔３１，３２が穿設され、該各取付孔３１，３２は、その前側に形成された偏平な角柱形状のＬＥＤ収容部３３，３４と、該各ＬＥＤ収容部３３，３４から後方に並列に形成された細長状の接続端子収容部３５，３５’、３６，３６’とから構成されている。該各接続端子収容部３５，３５’、３６，３６’にはそれぞれ、斜め内側前方に片持ち梁状に形成された係止片３７，３７’、３８，３８’が形成され、該各係止片３７，３７’、３８，３８’は側方に弾性変形可能となっている。前記ＬＥＤ収容部３３と前記接続端子収容部３５との間には段差部３９が形成され、該段差部３９には側方に突出する第１端子当接部４０が形成され、前記接続端子収容部３５と３５’の間の隔壁４１の前端部４２には、側方に突出する第２端子当接部４０’が形成されている。また、前記接続端子収容部３６の前端部には、側方に突出する第１端子当接部４３が形成され、前記接続端子収容部３６と３６’の間の隔壁４４の前記第１端子当接部４３に対応する位置には、側方に突出する第２端子当接部４３’が形成され、前記隔壁４４の前端部４５は前記ＬＥＤ収容部３４内に突出している。
【００１６】
前記端子２３は、前記凹部２７，２８内に所要数、（図示では、前記凹部２７内に８本、前記凹部２８内に２本）並列に配設されており、前記各端子２３の後端部はそれぞれリード線４６に接続されている。そして、リード線４６の延長上の他方も端子に接続されており、コネクタ内に配置している（図示していない）。該コネクタにより各端子はモジュラージャックから離れた位置の回路基板に接続可能である。
【００１７】
前記各発光ダイオード２４，２５はそれぞれ、前記ＬＥＤ収容部３３，３４に嵌合可能な表示部４７，４８と、該各表示部４７，４８の後端部に設けられた２本で一対の脚部４９，４９’、５０，５０’とを備えている。該各脚部４９，４９’、５０，５０’は棒板状を成し、前記各接続端子収容部３５，３５’、３６，３６’に遊挿可能であり、それぞれの側面にはタイパー部（図示せず）が形成されている。そして、前記一方の発光ダイオード２４は、例えば、緑色で、前記モジュラージャック２１とモジュラープラグ（図示せず）とが電気的に接続された時に点灯し、また、前記他方の発光ダイオード２５は、例えば、黄色で、前記モジュラージャック２１と前記モジュラープラグ間でデータが取り交わされている時に点滅するようになっている。
【００１８】
前記シールド板２６は、少なくとも前記ハウジング２２の前面の前記凹部２７，２８を除いた部分を覆うように形成されており、前記シールド板２６の前面５１の前記各表示部４７，４８に対応する箇所には、それぞれ前記各表示部４７，４８の前面より小さい視認窓５２が開口されている。このように、前記シールド板２６は、前記各表示部４７，４８の前面の外周部分を覆うように形成されているので、前記発光ダイオード２４，２５が前方へ脱落することはない。シールド板は、適宜、パネル等とシールド接続している。
【００１９】
以下、前記発光ダイオード２４を前記ハウジング２２に取付ける時の前記モジュラージャック２１の作用を説明する。
【００２０】
前記ハウジング２２の前面側から前記一方の発光ダイオード２４を前記取付孔３１に嵌合すると、前記表示部４７の後端部は前記段差部３９及び前記隔壁４１の前端部４２に当接し、前記表示部４７が前記ＬＥＤ収容部３３に収容されると共に前記各脚部４９，４９’がそれぞれ前記接続端子収容部３５，３５’に遊挿された状態となる。次に、この状態において、前端部に接続端子としての圧着端子５３が装着されたリード線５４を前記ハウジング２２の後面側から前記接続端子収容部３５，３５’に挿入すると、前記圧着端子５３は前記各脚部４９，４９’をその上面及び下面側から挟持し、前記リード線５４は前記圧着端子５３を介して、前記発光ダイオード２４に電気的に接続される。この時、前記圧着端子５３の前端部は前記第１端子当接部４０及び第２端子当接部４０’に当接し、前記係止片３７，３７’は前記圧着端子５３の側面に形成された係止孔５３Ａに係止する。
【００２１】
また、前記他方の発光ダイオード２５を前記ハウジング２２に取付けるには、前記発光ダイオード２４の場合と同様に、前記発光ダイオード２５を前記取付孔３２に嵌合する。前記表示部４７の後端部は前記隔壁４４の前端部４５に当接し、前記表示部４８が前記ＬＥＤ収容部３４に収容されると共に前記脚部５０，５０’がそれぞれ前記接続端子収容部３６，３６’に遊挿された状態となる。そして、この状態において、前記発光ダイオード２４の場合と同様に、前端部に接続端子としての圧着端子５３が装着されたリード線５４を前記接続端子収容部３６，３６’に挿入すると、前記圧着端子５３は前記各脚部５０，５０’をその上面及び下面側から挟持し、前記リード線５４は前記圧着端子５３を介して、前記発光ダイオード２５に電気的に接続される。この時、前記圧着端子５３の前端部は前記第１端子当接部４３及び第２端子当接部４３’に当接し、前記係止片３８，３８’は前記圧着端子５３の側面に形成された係止孔５３Ａに係止する。
【００２２】
このように、前記発光ダイオード２４，２５の後方への動きは、前記表示部４７，４８の後端部が、前記段差部３９及び前記隔壁４１の前端部４２、又は前記隔壁４４の前端部４５に当接することにより拘束され、一方、前記リード線５４の前方への動きは、前記圧着端子５３の前端部が、前記第１端子当接部４０及び第２端子当接部４０’、又は前記第１端子当接部４３及び第２端子当接部４３’に当接することにより拘束されるので、前記発光ダイオード２４，２５はそれぞれ前記ハウジング２２に確実に保持される。また、前記圧着端子５３は、前記接続端子収容部３５，３５’、３６，３６’内に遊着された状態にあり、前記圧着端子５３と前記接続端子収容部３５，３５’、３６，３６'の内壁との間には隙間が形成されているため、前記モジュラージャック２１に衝撃等が加えられたとしても、前記圧着端子５３は前記接続端子収容部３５，３５’、３６，３６'内でガタツキ、衝撃を吸収するので、前記圧着端子５３と前記脚部４９，４９’、５０，５０’との接続箇所に直接、衝撃が加わることがなく、両者間の接続状態は確実に保持される。また、リード線５４の延長上の他方も端子に接続されており、コネクタ内に配置されている（図示していない）。該コネクタにより、各端子は、モジュラージャックから離れた位置の回路基板に接続可能であり、モジュラージャックの配置が拘束されるということがない。
【００２３】
さらに、前記発光ダイオード２４，２５を前記ＬＥＤ収納部３３，３４に嵌合し、前記リード線５４を前記接続端子収納部３５，３５’、３６，３６’に挿入するだけで、前記発光ダイオード２４，２５は前記リード線５４と電気的に接続され且つ前記ハウジング２２に保持されるので、前記発光ダイオード２４，２５の取付作業を簡素化することができ、コストの低減化が可能となる。また、前記ハウジング２２に対する加工は前記取付孔３１を穿設するだけでよいので、構造が簡素化されると共に省スペース化が図れ、さらに、発光ダイオード２４，２５の配置の向きを容易に変更することが可能となり、前記発光ダイオード２４，２５の配置の自由度を向上させることができる。
【００２４】
さらにまた、前記脚部４９，４９’、５０，５０’と前記圧着端子５３との接触は、前記脚部４９，４９’、５０，５０’の上面及び下面側で行われ、タイパー部で行われるおそれがないので、前記発光ダイオード２４，２５と前記リード線５４間の接続状態の安定化を図れ、電気特性の信頼性を向上させることができる。また、前記発光ダイオード２４，２５と前記リード線５４が圧着端子５３を介して接続されているので、リード線のサイズをある程度自由に変更することができる。
【００２５】
なお、上記実施の形態においては、前記発光ダイオード２４，２５と前記リード線５４との接続は、圧着により行われているが、圧接や半田付け等、他の接続方法により行われてもよい。そして、その場合、前記発光ダイオード２４，２５は、前記リード線５４と接続後、前記ハウジング２２に取付けられる。
【００２６】
また、本発明は、図３に示すように、前記発光ダイオード２４，２５が前記ハウジング２２の側壁２９に縦向きで上下に配列される場合にも実施可能である。
【００２７】
さらに、前記発光ダイオード２４，２５は、前記表示部４７，４８が前記ＬＥＤ収容部３３，３４に圧入されることにより、前記ハウジング２２に保持されるように構成してもよい。また、上記実施の形態では、異なるタイプの発光ダイオード２４，２５を使用しているが、同一タイプのものを使用してもよい。
【００２８】
さらにまた、発光ダイオード２４，２５及び前記各凹部２７，２８の設置数は、それぞれ、上記した数に限定されるものでないことは言う迄もない
また、前記シールド板２６の設置範囲は、上述した範囲に限定されるものではなく、シールド板２６をまったく省略することも可能である。
【００２９】
【発明の効果】
以上述べた如く本発明によれば、発光ダイオードがリード線を介して所定回路に接続されるように構成されているので、モジュラージャックの配置が発光ダイオードの接続状態により拘束されることがなく、モジュラージャックの配置の自由度を向上させることができる等種々の優れた効果を得ることができる。
【図面の簡単な説明】
【図１】  本発明の実施の形態に係るモジュラージャックの主要部分を破断した平面図である。
【図２】  本発明の実施の形態を示す正面図である。
【図３】  本発明の実施の形態の別の例を示す正面図である。
【図４】  従来例の主要部分を破断した斜視図である。
【符号の説明】
２１          モジュラージャック
２２          ハウジング
２４，２５    発光ダイオード
３９          段差部
４０          端子当接部
４２          前端部
４３          端子当接部
４５          前端部
５３          圧着端子
５４          リード線
【図１】
0004087083.tif 000002
【図２】
0004087083.tif 000003
【図３】
0004087083.tif 000004
【図４】
0004087083.tif 000005